(57)【要約】【課題】信号の伝送損失を抑制できる高速ディファレンシャル信号伝送用のコネクタを提供する。【解決手段】コネクタ１はプラス信号用端子金具１３とマイナス信号用端子金具１４と第１のグランド端子金具１５と第２のグランド端子金具１６を備えている。第１のグランド端子金具１５はプラス信号用端子金具１３に対応している。第２のグランド端子金具１６はマイナス信号用端子金具１４に対応している。第１のグランド端子金具１５とプラス信号用端子金具１３との距離は第１のグランド端子金具１５とマイナス信号用端子金具１４との距離より短い。第２のグランド端子金具１６とマイナス信号用端子金具１４との距離は第２のグランド端子金具１６とプラス信号用端子金具１３との距離より短い。【選択図】図２
2004327419.tif 000002
【特許請求の範囲】
【請求項１】
プラス信号用端子金具と、マイナス信号用端子金具と、これらの端子金具を収容するコネクタハウジングと、を備えたコネクタにおいて、
前記コネクタハウジング内に収容されかつ前記プラス信号用端子金具に対応する第１のグランド端子金具と、
前記コネクタハウジング内に収容されかつ前記マイナス信号用端子金具に対応する第２のグランド端子金具と、
を備えたことを特徴とするコネクタ。
【請求項２】
前記プラス信号用端子金具と、前記マイナス信号用端子金具と、前記第１のグランド端子金具と、前記第２のグランド端子金具とは、四角形の頂点をなす位置に配されていることを特徴とする請求項１記載のコネクタ。
【請求項３】
前記プラス信号用端子金具と前記マイナス信号用端子金具と前記第１のグランド端子金具と前記第２のグランド端子金具とからなる端子金具セットを複数備えたことを特徴とする請求項１または請求項２に記載のコネクタ。
【請求項４】
端子金具セット同士のプラス信号用端子金具とマイナス信号用端子金具とが直線上に並べられており、
端子金具セット同士の第１のグランド端子金具と第２のグランド端子金具とが直線上に並べられていることを特徴とする請求項３記載のコネクタ。
【請求項５】
一つの端子金具セットのプラス信号用端子金具及びマイナス信号用端子金具と、前記一つの端子金具セットと隣り合う他の端子金具セットの第１のグランド端子金具及び第２のグランド端子金具と、が直線上に並べられていることを特徴とする請求項３記載のコネクタ。
【請求項６】
各端子金具セットの前記第１のグランド端子金具と前記プラス信号用端子金具との距離は、前記第１のグランド端子金具と前記マイナス信号用端子金具との距離より短く、
前記第２のグランド端子金具と前記マイナス信号用端子金具との距離は、前記第２のグランド端子金具と前記プラス信号用端子金具との距離より短くなっていることを特徴とする請求項３ないし請求項５のうちいずれか一項に記載のコネクタ。
【請求項７】
前記プラス信号用端子金具と、前記マイナス信号用端子金具と、前記第１のグランド端子金具と、前記第２のグランド端子金具とは、互いに平行に並べられかつ互いを結んだ線分が直線状をなす位置に配されていることを特徴とする請求項１記載のコネクタ。
【請求項８】
前記第１のグランド端子金具と、前記プラス信号用端子金具と、前記マイナス信号用端子金具と、前記第２のグランド端子金具とが順に並べられていることを特徴とする請求項７記載のコネクタ。
【請求項９】
前記プラス信号用端子金具と、前記マイナス信号用端子金具と、前記第１のグランド端子金具と、前記第２のグランド端子金具とは、それぞれ、一端部に設けられかつ相手側の端子金具と接続する第１電気接触部と、他端部に設けられかつ印刷配線板の回路パターンと接続する第２電気接触部と、を備え、
合成樹脂からなり、前記コネクタハウジング内に収容されるとともに、前記プラス信号用端子金具と、前記マイナス信号用端子金具と、前記第１のグランド端子金具と、前記第２のグランド端子金具とを保持する保持部材を備え、
前記保持部材は、前記プラス信号用端子金具と、前記マイナス信号用端子金具と、前記第１のグランド端子金具と、前記第２のグランド端子金具の前記第１電気接触部と前記第２電気接触部との間に位置する中央部を埋設していることを特徴とする請求項１ないし請求項８のうちいずれか一項に記載のコネクタ。
【発明の詳細な説明】
【技術分野】
【０００１】
本発明は、プラス信号用端子金具と、マイナス信号用端子金具と、グランド端子金具とを備えたコネクタ、特に、高速ディファレンシャル信号伝送用のコネクタに関する。
【背景技術】
【０００２】
移動体としての自動車には、例えば、ナビゲーション装置などの電子機器が搭載される。ナビゲーション装置は、現在位置などを算出する本体部と、現在位置や目的位置を表示するためのディスプレイなどを備えている。この種のディスプレイは、より高解像度であることが求められているとともに、リアルタイムで前述した現在位置などを表示できることが求められている。
【０００３】
このため、前述した本体部からディスプレイに伝送する信号量が増大する傾向であった。このため、従来から種々の高速信号伝送方式が用いられてきた。従来から用いられてきた伝送形態としては、不平衡型（シングルエンド）と平衡型（ディファレンシャル）がある。
【０００４】
シングルエンド型は、ディジタル信号のＨｉｇｈとＬｏｗとの区別をグランド線と信号線（１本）の電位差で判別する形態であり、従来一般的に用いられている。
【０００５】
これに対し、ディファレンシャル型は、２本の信号線（＋、−）を用いて、２本の信号線の電位差でＨｉｇｈとＬｏｗとを区別する。ディファレンシャル型の２つの信号は、電圧の大きさが互いに等しく、位相が１８０°異なる。ディファレンシャル型は、２本の信号線に生じたノイズをレシーバの入力段階でキャンセルされるので、シングルエンド型に比べて、高速に伝送することができる。
【０００６】
前述した高速ディファレンシャル伝送方式を行うために、例えば、プラス信号用端子金具と、マイナス信号用端子金具と、グランド端子金具とを備えた図３８及び図３９などに示すコネクタ（特許文献１参照。）１０１，１０２が提案されている。
【０００７】
図３８に示されたコネクタ１０１は、コネクタハウジング１０９と、プラス信号用端子金具１０３と、マイナス信号用端子金具１０４と、グランド端子金具１０５とを備えている。コネクタ１０１は、端子金具１０３，１０４，１０５を二等辺三角形の頂点となる位置に配置している。
【０００８】
また、図３９に示されたコネクタ１０２は、コネクタハウジング１１０と、プラス信号用端子金具１０６と、マイナス信号用端子金具１０７と、グランド端子金具１０８とを備えている。端子金具１０６，１０７，１０８は、断面矩形状の厚手の板金からなる。グランド端子金具１０８の幅が、プラス信号用端子金具１０６と、マイナス信号用端子金具１０７との双方の幅より大きく形成されている。
【０００９】
図３９に示されたコネクタ１０２は、プラス信号用端子金具１０６とマイナス信号用端子金具１０７との双方を、グランド端子金具１０８と間隔をあけて配置している。図３９に示されたコネクタ１０２は、プラス信号用端子金具１０６とマイナス信号用端子金具１０７とを、グランド端子金具１０８の表面に沿って、間隔をあけて並べている。
【００１０】
図３８及び図３９に示されたコネクタ１０１，１０２は、プラス信号用端子金具１０３，１０６とマイナス信号用端子金具１０４，１０７とが一つのグランド端子金具１０５，１０８を共用している。プラス信号用端子金具１０３，１０６とマイナス信号用端子金具１０４，１０７とは、共用した一つのグランド端子金具１０５，１０８で伝送している。
【００１１】
また、前述した自動車に搭載されるナビゲーション装置では、ディスプレイを前席と後席とのそれぞれに配置するなどの自動車の複数箇所に配置することが望まれている。このため、本体部とディスプレイとの距離が長くなって、前述した高速信号伝送を行うケーブル（電線）が長くなることが考えられる。このため、前述した高速ディファレンシャル伝送方式を行うコネクタでは、勿論、信号の損失が少ないことが求められる。
【特許文献１】特開２００２−３３４７４８号公報
【発明の開示】
【発明が解決しようとする課題】
【００１２】
前述した従来のコネクタ１０１，１０２では、プラス信号用端子金具１０３，１０６に信号即ち電流を流すことにより、グランド端子金具１０５，１０８に誘導電流が生じる。プラス信号用端子金具１０３，１０６とマイナス信号用端子金具１０４，１０７とが一つのグランド端子金具１０５，１０８を共用しているため、例えば、プラス信号用端子金具１０３，１０６に電流を流してグランド端子金具１０５，１０８に誘導電流が流れることにより、マイナス信号用端子金具１０４，１０７に更なる誘導電流が生じることが考えられる。
【００１３】
このように、前述した従来のコネクタ１０１，１０２では、プラス信号用端子金具１０３，１０６に信号即ち電流を流すことにより、グランド端子金具１０５，１０８に誘導電流が生じ、グランド端子金具１０５，１０８に信号即ち電流を流すことにより、グランド端子金具１０５，１０８に誘導電流が生じることが考えられる。これにより、前述したグランド端子金具１０５，１０８に接続する各グランド線上で逆方向電流の衝突が生じることで、前述した従来のコネクタ１０１，１０２では、信号の伝送損失が増加する傾向であった。
【００１４】
したがって、本発明の目的は、信号の伝送損失を抑制できる高速ディファレンシャル信号伝送用のコネクタを提供することにある。
【課題を解決するための手段】
【００１５】
前述した課題を解決し目的を達成するために、請求項１に記載の本発明のコネクタは、プラス信号用端子金具と、マイナス信号用端子金具と、これらの端子金具を収容するコネクタハウジングと、を備えたコネクタにおいて、前記コネクタハウジング内に収容されかつ前記プラス信号用端子金具に対応する第１のグランド端子金具と、前記コネクタハウジング内に収容されかつ前記マイナス信号用端子金具に対応する第２のグランド端子金具と、を備えたことを特徴としている。
【００１６】
請求項２に記載の本発明のコネクタは、請求項１に記載のコネクタにおいて、前記プラス信号用端子金具と、前記マイナス信号用端子金具と、前記第１のグランド端子金具と、前記第２のグランド端子金具とは、四角形の頂点をなす位置に配されていることを特徴としている。
【００１７】
請求項３に記載の本発明のコネクタは、請求項１または請求項２に記載のコネクタにおいて、前記プラス信号用端子金具と前記マイナス信号用端子金具と前記第１のグランド端子金具と前記第２のグランド端子金具とからなる端子金具セットを複数備えたことを特徴としている。
【００１８】
請求項４に記載の本発明のコネクタは、請求項３に記載のコネクタにおいて、端子金具セット同士のプラス信号用端子金具とマイナス信号用端子金具とが直線上に並べられており、端子金具セット同士の第１のグランド端子金具と第２のグランド端子金具とが直線上に並べられていることを特徴としている。
【００１９】
請求項５に記載の本発明のコネクタは、請求項３に記載のコネクタにおいて、一つの端子金具セットのプラス信号用端子金具及びマイナス信号用端子金具と、前記一つの端子金具セットと隣り合う他の端子金具セットの第１のグランド端子金具及び第２のグランド端子金具と、が直線上に並べられていることを特徴としている。
【００２０】
請求項６に記載の本発明のコネクタは、請求項３ないし請求項５のうちいずれか一項に記載のコネクタにおいて、各端子金具セットの前記第１のグランド端子金具と前記プラス信号用端子金具との距離は、前記第１のグランド端子金具と前記マイナス信号用端子金具との距離より短く、前記第２のグランド端子金具と前記マイナス信号用端子金具との距離は、前記第２のグランド端子金具と前記プラス信号用端子金具との距離より短くなっていることを特徴としている。
【００２１】
請求項７に記載の本発明のコネクタは、請求項１に記載のコネクタにおいて、前記プラス信号用端子金具と、前記マイナス信号用端子金具と、前記第１のグランド端子金具と、前記第２のグランド端子金具とは、互いに平行に並べられかつ互いを結んだ線分が直線状をなす位置に配されていることを特徴としている。
【００２２】
請求項８に記載の本発明のコネクタは、請求項７に記載のコネクタにおいて、前記第１のグランド端子金具と、前記プラス信号用端子金具と、前記マイナス信号用端子金具と、前記第２のグランド端子金具とが順に並べられていることを特徴としている。
【００２３】
請求項９に記載の本発明のコネクタは、請求項１ないし請求項８のうちいずれか一項に記載のコネクタにおいて、前記プラス信号用端子金具と、前記マイナス信号用端子金具と、前記第１のグランド端子金具と、前記第２のグランド端子金具とは、それぞれ、一端部に設けられかつ相手側の端子金具と接続する第１電気接触部と、他端部に設けられかつ印刷配線板の回路パターンと接続する第２電気接触部と、を備え、合成樹脂からなり、前記コネクタハウジング内に収容されるとともに、前記プラス信号用端子金具と、前記マイナス信号用端子金具と、前記第１のグランド端子金具と、前記第２のグランド端子金具とを保持する保持部材を備え、前記保持部材は、前記プラス信号用端子金具と、前記マイナス信号用端子金具と、前記第１のグランド端子金具と、前記第２のグランド端子金具の前記第１電気接触部と前記第２電気接触部との間に位置する中央部を埋設していることを特徴としている。
【００２４】
請求項１に記載の本発明のコネクタによれば、プラス信号用端子金具に対応した第１のグランド端子と、マイナス信号用端子金具に対応した第２のグランド端子とをそれぞれ設けている。
【００２５】
これにより、プラス信号用端子金具に信号（電流）を流すと、誘導電流が第１のグランド端子金具に生じ、マイナス信号用端子金具に信号（電流）を流すと、誘導電流が第２のグランド端子金具に生じる。
【００２６】
請求項２に記載の本発明のコネクタによれば、プラス信号用端子金具とマイナス信号用端子金具と第１及び第２のグランド端子金具とは四角形の頂点をなす位置に配されている。これにより、小型化を図ることができる。
【００２７】
請求項３に記載の本発明のコネクタによれば、端子金具セットを複数備えている。これにより、伝送できる信号量を増加できる。
【００２８】
請求項４に記載の本発明のコネクタによれば、信号用端子金具が直線上に配され、かつグランド端子金具が直線上に配されているので、各信号用端子金具に信号（電流）を流すことで生じる誘導電流は、対応するグランド端子金具に確実に発生する。また、信号用端子金具が直線上に配され、かつグランド端子金具が直線上に配されているので、小型化を図ることができる。
【００２９】
請求項５に記載の本発明のコネクタによれば、端子金具セット同士の信号用端子金具とグランド端子金具とが並べられているので、各信号用端子金具に信号（電流）を流すことで生じる誘導電流は、対応するグランド端子金具に確実に発生する。また、端子金具セット同士の信号用端子金具とグランド端子金具とが並べられているので、小型化を図ることができる。
【００３０】
請求項６に記載の本発明のコネクタによれば、第１のグランド端子金具は、プラス信号用端子金具とマイナス信号用端子金具のうちプラス信号用端子金具寄りに配されている。第２のグランド端子金具は、プラス信号用端子金具とマイナス信号用端子金具のうちマイナス信号用端子金具寄りに配されている。
【００３１】
これにより、プラス信号用端子金具に信号（電流）を流すと、誘導電流が第１のグランド端子金具に確実に生じ、マイナス信号用端子金具に信号（電流）を流すと、誘導電流が第２のグランド端子金具に確実に生じる。
【００３２】
請求項７に記載の本発明のコネクタによれば、端子金具が互いに平行でかつ一直線上に配されている。このため、薄型化を図ることができる。
【００３３】
請求項８に記載の本発明のコネクタによれば、第１のグランド端子金具と、プラス信号用端子金具と、マイナス信号用端子金具と、第２のグランド端子金具とが、順に並べられている。このため、第１のグランド端子金具は、プラス信号用端子金具とマイナス信号用端子金具のうち確実にプラス信号用端子金具寄りに配される。第２のグランド端子金具は、プラス信号用端子金具とマイナス信号用端子金具のうち確実にマイナス信号用端子金具寄りに配される。
【００３４】
請求項９に記載の本発明のコネクタによれば、各端子金具の中央部が合成樹脂からなる保持部材内に埋設されている。このため、中央部が雰囲気中にさらされることなく保持部材を構成する合成樹脂により覆われる。
【発明の効果】
【００３５】
以上説明したように、請求項１に記載の本発明は、プラス信号用端子金具に信号（電流）を流すと、誘導電流が第１のグランド端子金具に生じる。マイナス信号用端子金具に信号（電流）を流すと、誘導電流が第２のグランド端子金具に生じる。第１のグランド端子金具と第２のグランド端子金具とは別体である。
【００３６】
これにより、プラス信号端子金具に電流が流れて、第１のグランド端子金具に誘導電流が流れた際に、マイナス信号用端子金具及び第２のグランド端子金具に誘導電流が生じることを防止できる。マイナス信号端子金具に電流が流れて、第２のグランド端子金具に誘導電流が流れた際に、プラス信号用端子金具及び第１のグランド端子金具に誘導電流が生じることを防止できる。このため、各信号用端子金具内にノイズ信号（電流）が流れることを防止できる。したがって、各信号用端子金具の信号の伝送損失を抑制することができる。
【００３７】
請求項２に記載の本発明は、各端子金具が四角形の頂点をなす位置に配されている。これにより、小型化を図ることができる。
【００３８】
請求項３に記載の本発明は、端子金具セットを複数備えている。これにより、伝送できる信号量を増加できる。
【００３９】
請求項４に記載の本発明は、各信号用端子金具に信号（電流）を流すことで生じる誘導電流が対応するグランド端子金具に確実に発生する。第１のグランド端子金具に誘導電流が流れた際に、マイナス信号用端子金具及び第２のグランド端子金具に誘導電流が生じることを防止できる。第２のグランド端子金具に誘導電流が流れた際に、プラス信号用端子金具及び第１のグランド端子金具に誘導電流が生じることを防止できる。このため、各信号用端子金具内にノイズ信号（電流）が流れることを防止できる。したがって、各信号用端子金具の信号の伝送損失を抑制することができる。
【００４０】
また、信号用端子金具が直線上に配され、かつグランド端子金具が直線上に配されているので、小型化を図ることができる。
【００４１】
請求項５に記載の本発明は、各信号用端子金具に信号（電流）を流すことで生じる誘導電流が対応するグランド端子金具に確実に発生する。プラス信号用端子金具に電流が流れて、第１のグランド端子金具に誘導電流が流れた際に、マイナス信号用端子金具及び第２のグランド端子金具に誘導電流が生じることを防止できる。マイナス信用号端子金具に電流が流れて、第２のグランド端子金具に誘導電流が流れた際に、プラス信号用端子金具及び第１のグランド端子金具に誘導電流が生じることを防止できる。このため、各信号用端子金具内にノイズ信号（電流）が流れることを防止できる。したがって、各信号用端子金具の信号の伝送損失を抑制することができる。
【００４２】
また、端子金具セット同士の信号用端子金具とグランド端子金具とが並べられているので、小型化を図ることができる。
【００４３】
請求項６に記載の本発明は、第１のグランド端子金具がプラス信号用端子金具寄りに配され、第２のグランド端子金具がマイナス信号用端子金具寄りに配されている。これにより、プラス信号用端子金具に電流が流れて、第１のグランド端子金具に誘導電流が流れた際に、マイナス信号用端子金具及び第２のグランド端子金具に誘導電流が生じることを確実に防止できる。マイナス信号端子金具に電流が流れて、第２のグランド端子金具に誘導電流が流れた際に、プラス信号用端子金具及び第１のグランド端子金具に誘導電流が生じることを確実に防止できる。このため、各信号用端子金具内にノイズ信号（電流）が流れることを防止できる。したがって、各信号用端子金具の信号の伝送損失を抑制することができる。
【００４４】
請求項７に記載の本発明は、端子金具が互いに平行でかつ一直線上に配されているため、薄型化を図ることができる。
【００４５】
請求項８に記載の本発明は、第１のグランド端子金具がプラス信号用端子金具寄りに配され、第２のグランド端子金具がマイナス信号用端子金具寄りに配されている。これにより、プラス信号用端子金具に電流が流れて、第１のグランド端子金具に誘導電流が流れた際に、マイナス信号用端子金具及び第２のグランド端子金具に誘導電流が生じることを確実に防止できる。マイナス信号端子金具に電流が流れて、第２のグランド端子金具に誘導電流が流れた際に、プラス信号用端子金具及び第１のグランド端子金具に誘導電流が生じることを確実に防止できる。このため、各信号用端子金具内にノイズ信号（電流）が流れることを防止できる。したがって、各信号用端子金具の信号の伝送損失を抑制することができる。
【００４６】
請求項９に記載の本発明は、各端子金具の中央部が雰囲気中にさらされることなく保持部材を構成する合成樹脂により覆われる。保持部材の誘電率は、各端子金具の一端部から他端部に向かってのインピーダンスにより適宜定められる。保持部材は、定められた誘電率を満足するような合成樹脂から構成される。即ち、保持部材を構成する合成樹脂を変更すると、保持部材の誘電率と各端子金具の一端部から他端部に向かってのインピーダンスとが変化する。
【００４７】
このため、各端子金具の一端部の第１電気接触部から他端部の第２電気接触部に向かうにしたがってインピーダンスが特に中央部で乱れることを防止できる。したがって、各端子金具が発生するノイズを抑制でき、各信号用端子金具の信号の伝送損失を抑制することができる。
【発明を実施するための最良の形態】
【００４８】
本発明の第１の実施形態にかかるコネクタを、図１ないし図８を参照して説明する。図１になどに示すコネクタ１，１ｃは、互いに嵌合して、例えば、図７に示す自動車などに搭載される電子機器としてのナビゲーション装置２の本体部３とディスプレイ４とを接続するために用いられる。
【００４９】
ナビゲーション装置２は、現在位置などを算出する本体部３と、現在位置や目的位置を表示するためのディスプレイ４などを備えている。本体部３は、例えば、自動車のダッシュボードなどに設置される。ディスプレイ４は、図７に示すように、自動車の前席と後席とのそれぞれに設置されている。ディスプレイ４は、より高解像度であることが求められているとともに、リアルタイムで前述した現在位置などを表示できることが求められている。このため、前記本体部３からディスプレイ４には、高速ディファレンシャル伝送方式を用いて、必要な信号（電流）を伝送する。
【００５０】
高速ディファレンシャル伝送方式とは、２本の信号線（＋、−）を用いて、２本の信号線の電位差でＨｉｇｈとＬｏｗとを区別する。高速ディファレンシャル伝送方式の２つの信号（以下、一方の信号をプラス信号と呼び、他方の信号をマイナス信号と呼ぶ）は、電圧の大きさが互いに等しく、位相が１８０°異なる（このため、本明細書でプラス信号と呼ぶ信号であっても、マイナスの電位となることがあり、本明細書でマイナス信号と呼ぶ信号であっても、プラスの電位となることがある）。高速ディファレンシャル伝送方式は、２本の信号線に生じたノイズをレシーバの入力段階でキャンセルされるので、信号を高速に伝送することができる。
【００５１】
前述した本体部３とディスプレイ４とは、図７に示すように、高速ディファレンシャル伝送方式用のケーブル５（以下単にケーブルと呼ぶ）と、該ケーブル５の端部に取り付けられたコネクタ１と、該コネクタ１と嵌合するとともにディスプレイ４の印刷配線板（Printed Circuit Board）４１に取り付けられたコネクタ１ｃを用いて、接続される。このため、コネクタ１，１ｃは、高速ディファレンシャル信号伝送用のコネクタである。ケーブル５は、図３に示すように、前述したプラス信号を伝送するプラス信号用電線６と、前述したマイナス信号を伝送するマイナス信号用電線７と、グランド用電線８と、アルミラミネートシート９と、絶縁チューブ１０とを備えている。
【００５２】
プラス信号用電線６と、マイナス信号用電線７と、グランド用電線８とは、それぞれ、導電性の芯線と、該芯線を被覆する被覆部と、を備えた所謂被覆電線である。プラス信号用電線６とマイナス信号用電線７は、本体部３に接続しており、該本体部３からディスプレイ４に供給される信号（電流）を伝送する。プラス信号用電線６とマイナス信号用電線７は、電圧の大きさが互いに等しくかつ位相が互いに１８０°異なる信号（電流）を伝送する。
【００５３】
グランド用電線８は、図示しないアースなどに接続しており、プラス信号用電線６とマイナス信号用電線７とに電流が流れることにより生じる電気的なノイズを前記アースに導く。
【００５４】
アルミラミネートシート９は、アルミニウム合金などからなり薄膜状に形成されている。アルミラミネートシート９は、前記電線６，７，８を覆っている。アルミラミネートシート９は、図示しないアースなどに接続しており、前記電線６，７，８に外部から侵入しようとする電気的なノイズをアースに導く。絶縁チューブ１０は、絶縁性の合成樹脂からなり、前記アルミラミネートシート９を被覆している。
【００５５】
コネクタ１は、図２に示すように、ケーブル５の端部に取り付けられ、ディスプレイ４の印刷配線板４１に取り付けられたコネクタ１ｃと嵌合する。コネクタ１は、図３に示すように、一つの端子金具セット１１と、コネクタハウジング１２とを備えている。
【００５６】
端子金具セット１１は、図３に示すように、一本のプラス信号用端子金具１３と、一本のマイナス信号用端子金具１４と、一本の第１のグランド端子金具１５と、一本の第２のグランド端子金具１６とを備えている。各端子金具１３，１４，１５，１６は、導電性の金属からなり、円筒状に形成されており、互いに平行に配されている。
【００５７】
プラス信号用端子金具１３は、ケーブル５のプラス信号用電線６と電気的に接続する。マイナス信号用端子金具１４は、ケーブル５のマイナス信号用電線７と電気的に接続する。プラス信号用端子金具１３とマイナス信号用端子金具１４は、勿論、本体部３からディスプレイ４に供給される互いに電圧の大きさが等しくかつ位相が１８０°異なる信号（電流）を流す。
【００５８】
第１のグランド端子金具１５は、プラス信号用端子金具１３に対応しており、前述したグランド用電線８に接続する。第１のグランド端子金具１５は、プラス信号用端子金具１３に信号（電流）が流れることにより生じる電気的なノイズを、グランド用電線８を介して前述したアースに導く。
【００５９】
第２のグランド端子金具１６は、第１のグランド端子金具１５と別体であり、マイナス信号用端子金具１４に対応しており、前述したグランド用電線８に接続する。第２のグランド端子金具１６は、マイナス信号用端子金具１４に信号（電流）が流れることにより生じる電気的なノイズを、グランド用電線８を介して前述したアースに導く。
【００６０】
前述した構成の端子金具セット１１は、ディスプレイ４のコネクタハウジング側から見て即ちコネクタハウジング１２の後述の開口部２０ａと相対する側から見て、前述した端子金具１３，１４，１５，１６が、図８に示すように、四角形の頂点となる位置に配されている。即ち、端子金具１３，１４，１５，１６は、図８に示すように、四角形を形成する。図示例では、端子金具１３，１４，１５，１６は、図８に示すように、正方形を形成している。
【００６１】
また、プラス信号用端子金具１３とマイナス信号用端子金具１４とは、矢印Ｎ１に沿って互いに平行に並んでいる。第１のグランド端子金具１５と第２のグランド端子金具１６は、矢印Ｎ２に沿って互いに平行に並んでいる。矢印Ｎ１，Ｎ２は、互いに平行である。矢印Ｎ１は、本明細書に記した直線状の第１の方向をなしており、矢印Ｎ２は、本明細書に記した直線状の第２の方向をなしている。
【００６２】
このため、端子金具セット１１では、第１のグランド端子金具１５とプラス信号用端子金具１３との距離Ｋ１が、第１のグランド端子金具１５とマイナス信号用端子金具１４との距離Ｋ２より短くなっている。即ち、第１のグランド端子金具１５は、プラス信号用端子金具１３とマイナス信号用端子金具１４とのうちプラス信号用端子金具１３寄りに配されている。
【００６３】
また、端子金具セット１１では、第２のグランド端子金具１６とマイナス信号用端子金具１４との距離Ｋ３が、第２のグランド端子金具１６とプラス信号用端子金具１３との距離Ｋ４より短くなっている。即ち、第２のグランド端子金具１６は、プラス信号用端子金具１３とマイナス信号用端子金具１４とのうちマイナス信号用端子金具１４寄りに配されている。
【００６４】
コネクタハウジング１２は、前述した端子金具１３，１４，１５，１６を収容する。コネクタハウジング１２は、図３に示すように、インナホルダ１７と、インナハウジング１８と、導電ケース１９と、アウタハウジング２０とを備えている。
【００６５】
インナホルダ１７は、絶縁性の合成樹脂からなり方体状に形成されている。インナホルダ１７は、前述した状態に配置して、端子金具１３，１４，１５，１６を保持する。インナハウジング１８は、絶縁性の合成樹脂からなり箱状に形成されている。インナハウジング１８は、インナホルダ１７と、該インナホルダ１７に保持された端子金具１３，１４，１５，１６を収容する。
【００６６】
導電ケース１９は、互いに取り付けられる第１のケース部材２１と、第２のケース部材２２とを備えている。各ケース部材２１，２２は、導電性の板金などからなり、互いに取り付けられると、インナハウジング１８を覆う。各ケース部材２１，２２即ち導電ケース１９は、ケーブル５のアルミラミネート９と電気的に接続する。
【００６７】
アウタハウジング２０は、絶縁性の合成樹脂からなり筒状に形成されている。アウタハウジング２０は、内側にインナホルダ１７、該インナホルダ１７に保持された端子金具１３，１４，１５，１６、インナホルダ１７などを収容したインナハウジング１８、該インナハウジング１８を覆った導電ケース１９などを収容する。アウタハウジング２０の図３中手前側に位置する開口部２０ａは、前述したコネクタハウジング１２の開口部をなしている。また、アウタハウジング２０は、前述したディスプレイ４の印刷配線板４１に取り付けられたコネクタ１ｃなどに係合するロックアーム２３を備えている。
【００６８】
前述した構成のコネクタ１は、以下のように組み立てられる。各端子金具１３，１４，１５，１６にケーブル５の電線６，７，８を取り付けた後、これら端子金具１３，１４，１５，１６をインナホルダ１７に保持する。そして、インナホルダ１７などをインナハウジング１８内に挿入した後、インナハウジング１８をケース部材２１，２２で覆う。導電ケース１９毎インナハウジング１８をアウタハウジング２０内に挿入する。こうして、コネクタ１が組み立てられる。
【００６９】
コネクタ１ｃは、図１に示すように、ディスプレイ４の印刷配線板４１に取り付けられ、前述したケーブル５に取り付けられたコネクタ１と嵌合する。印刷配線板４１は、図４及び図５に示すように、絶縁性の合成樹脂からなる基板４２と、この基板４２上に形成された図示しない回路パターンとを備えている。基板４２は、平板状に形成されている。基板４２上には、図示しない各種の電子部品が実装されている。回路パターンは、銅などの導電性の金属からなり、箔（膜状）に形成されて、基板４２の表面に貼り付けられている。回路パターンは、基板４２上に実装された電子部品と、ディスプレイ４とを予め定められたパターンにしたがって、電気的に接続する。
【００７０】
コネクタ１ｃは、図６に示すように、一つの端子金具セット４３と、保持部材としてのホルダ４４と、コネクタハウジング４５と、第１導電ケース４６と、第２導電ケース４７を備えている。
【００７１】
端子金具セット４３は、図６に示すように、一本のプラス信号用端子金具４８と、一本のマイナス信号用端子金具４９と、一本の第１のグランド端子金具５０と、一本の第２のグランド端子金具５１とを備えている。各端子金具４８，４９，５０，５１は、導電性の金属からなり、側方からみてＬ字状に屈曲した棒状に形成されており、互いに平行に配されている。
【００７２】
プラス信号用端子金具４８は、印刷配線板４１の回路パターンと電気的に接続し、コネクタ１，１ｃ同士が嵌合すると、相手側の端子金具としてのコネクタ１のプラス信号用端子金具１３と接続する。マイナス信号用端子金具４９は、印刷配線板４１の回路パターンと電気的に接続し、コネクタ１，１ｃ同士が嵌合すると、相手側の端子金具としてのコネクタ１のマイナス信号用端子金具１４と接続する。このため、プラス信号用端子金具１３とマイナス信号用端子金具１４は、勿論、本体部３からディスプレイ４に供給される互いに電圧の大きさが等しくかつ位相が１８０°異なる信号（電流）を流す。
【００７３】
第１のグランド端子金具５０は、プラス信号用端子金具４８に対応しており、印刷配線板４１の回路パターンと電気的に接続している。第１のグランド端子金具５０は、コネクタ１，１ｃ同士が嵌合すると、相手側の端子金具としてのコネクタ１の第１のグランド端子金具１５と接続する。第１のグランド端子金具５０は、プラス信号用端子金具４８に信号（電流）が流れることにより生じる電気的なノイズを、グランド用電線８を介して前述したアースに導く。
【００７４】
第２のグランド端子金具５１は、第１のグランド端子金具５０と別体であり、マイナス信号用端子金具４９に対応しており、印刷配線板４１の回路パターンと電気的に接続している。第２のグランド端子金具５１は、コネクタ１，１ｃ同士が嵌合すると、相手側の端子金具としてのコネクタ１の第２のグランド端子金具１６と接続する。第２のグランド端子金具５１は、マイナス信号用端子金具４９に信号（電流）が流れることにより生じる電気的なノイズを、グランド用電線８を介して前述したアースに導く。
【００７５】
このため、前述した端子金具４８，４９，５０，５１は、それぞれ、図４及び図５に示すように、前述した相手側の端子金具４８，４９，５０，５１と電気的に接続する第１電気接触部５２と、印刷配線板４１の回路パターンと電気的に接続する第２電気接触部５３と、を備えている。なお、図４及び図５では、プラス信号用端子金具４８と第１のグランド端子金具５０とを代表して示している。マイナス信号用端子金具４９と第２のグランド端子金具５１は、前述のプラス信号用端子金具４８と第１のグランド端子金具５０と構成が等しいので、説明を省略する。
【００７６】
第１電気接触部５２は、前述した端子金具４８，４９，５０，５１の一端部に設けられ、第２電気接触部５３は、前述した端子金具４８，４９，５０，５１の他端部に設けられている。前述した端子金具４８，４９，５０，５１は、それぞれ、前述した第１電気接触部５２と第２電気接触部５３が露出し、第１電気接触部５２と第２電気接触部５３との間に位置する中央部がホルダ４４内に埋設されている。即ち、各端子金具４８，４９，５０，５１の両端部が露出し、中央部がホルダ４４を構成する合成樹脂に覆われている。
【００７７】
前述した構成の端子金具セット４３は、相手側のコネクタ１側から見て、前述した端子金具４８，４９，５０，５１が、四角形の頂点となる位置に配されている。即ち、端子金具４８，４９，５０，５１は、四角形を形成する。図示例では、端子金具４８，４９，５０，５１は、正方形を形成している。
【００７８】
また、プラス信号用端子金具４８とマイナス信号用端子金具４９とは、矢印Ｎ１（図６に示す）に沿って互いに平行に並んでいる。第１のグランド端子金具５０と第２のグランド端子金具５１は、矢印Ｎ２（図６に示す）に沿って互いに平行に並んでいる。矢印Ｎ１，Ｎ２は、互いに平行である。矢印Ｎ１は、本明細書に記した直線状の第１の方向をなしており、矢印Ｎ２は、本明細書に記した直線状の第２の方向をなしている。
【００７９】
このため、端子金具セット４３では、第１のグランド端子金具５０とプラス信号用端子金具４８との距離が、第１のグランド端子金具５０とマイナス信号用端子金具４９との距離より短くなっている。即ち、第１のグランド端子金具５０は、プラス信号用端子金具４８とマイナス信号用端子金具４９とのうちプラス信号用端子金具４８寄りに配されている。
【００８０】
また、端子金具セット４３では、第２のグランド端子金具５１とマイナス信号用端子金具４９との距離が、第２のグランド端子金具５１とプラス信号用端子金具４８との距離より短くなっている。即ち、第２のグランド端子金具５１は、プラス信号用端子金具４８とマイナス信号用端子金具４９とのうちマイナス信号用端子金具４９寄りに配されている。
【００８１】
ホルダ４４は、絶縁性の合成樹脂からなり、方体状に形成されている。ホルダ４４は、コネクタハウジング４５内に収容される。ホルダ４４は、各端子金具４８，４９，５０，５１の第１電気接触部５２と第２電気接触部５３との間に位置する中央部を埋設することで、これらの端子金具４８，４９，５０，５１を保持している。ホルダ４４は、インサート成型により、各端子金具４８，４９，５０，５１と一体に成型される。
【００８２】
ホルダ４４を構成する合成樹脂は、各端子金具４８，４９，５０，５１の一端部から他端部に向かってのインピーダンスが所定の値を満足する樹脂となっている。ホルダ４４を構成する合成樹脂を変更すると、ホルダ４４の誘電率と各端子金具４８，４９，５０，５１の一端部から他端部に向かってのインピーダンスとが変化する。
【００８３】
コネクタハウジング４５は、図４及び図５に示すように、インサート成型により各端子金具４８，４９，５０，５１と一体に成型されたホルダ４４を収容する。コネクタハウジング４５は、絶縁性の合成樹脂からなり筒状に形成されている。コネクタハウジング４５の図１中手前側に位置する開口部４５ａの近傍にコネクタ１のロックアーム２３が嵌合するロック孔５４を備えている。コネクタハウジング４５は、印刷配線板４１の基板４２に固定される。
【００８４】
第１導電ケース４６は、導電性の板金などからなり、枠状に形成されている。第１導電ケース４６は、コネクタハウジング４５の開口部４５ａの近傍を覆う。第２導電ケース４７は、導電性の板金などからなり、筒状に形成されている。第２導電ケース４７は、ホルダ４４を覆いかつコネクタハウジング４５内に収容される。導電ケース４６，４７は、印刷配線板４１の回路パターンと電気的に接続され、該回路パターンを介してアースと接続する。
【００８５】
前述した構成のコネクタ１ｃは、以下のように組み立てられる。インサート成形により端子金具４８，４９，５０，５１の中央部を埋設したホルダ４４を成形する。ホルダ４４を第２導電ケース４７で覆い、コネクタハウジング４５内に挿入する。コネクタハウジング４５の開口部４５ａの近傍を第１導電ケース４６で覆う。こうして、コネクタ１ｃが組み立てられる。コネクタ１ｃは、ディスプレイ４の印刷配線板４１に取り付ける。すると、各端子金具４８，４９，５０，５１の第２電気接触部５３と、導電ケース４６，４７が、印刷配線板４１の回路パターンと電気的に接続する。ロックアーム２３をロック孔５４に係合させて、コネクタ１，１ｃを互いに嵌合する。
【００８６】
本実施形態によれば、プラス信号用端子金具１３，４８に対応した第１のグランド端子１５，５０と、マイナス信号用端子金具１４，４９に対応した第２のグランド端子１６，５１とをそれぞれ設けている。これにより、プラス信号用端子金具１３，４８に信号（電流）を流すと、誘導電流が第１のグランド端子金具１５，５０に生じ、マイナス信号用端子金具１４，４９に信号（電流）を流すと、誘導電流が第２のグランド端子金具１６，５１に生じる。第１のグランド端子金具１５，５０と第２のグランド端子金具１６，５１とは別体である。
【００８７】
これにより、プラス信号端子金具１３，４８に電流が流れて、第１のグランド端子金具１５，５０に誘導電流が流れた際に、マイナス信号用端子金具１４，４９及び第２のグランド端子金具１６，５１に誘導電流が生じることを防止できる。マイナス信号端子金具１４，４９に電流が流れて、第２のグランド端子金具１６，５１に誘導電流が流れた際に、プラス信号用端子金具１３，４８及び第１のグランド端子金具１５，５０に誘導電流が生じることを防止できる。このため、各信号用端子金具１３，４８，１４，４９内にノイズ信号（電流）が流れることを防止できる。したがって、各信号用端子金具１３，４８，１４，４９の信号の伝送損失を抑制することができる。
【００８８】
プラス信号用端子金具１３，４８とマイナス信号用端子金具１４，４９と第１及び第２のグランド端子金具１５，５０，１６，５１とは四角形（正方形）の頂点をなす位置に配されている。これにより、小型化を図ることができる。
【００８９】
第１のグランド端子金具１５，５０は、プラス信号用端子金具１３，４８とマイナス信号用端子金具１４，４９のうちプラス信号用端子金具１３，４８寄りに配されている。第２のグランド端子金具１６，５１は、プラス信号用端子金具１３，４８とマイナス信号用端子金具１４，４９のうちマイナス信号用端子金具１４，４９寄りに配されている。
【００９０】
これにより、プラス信号用端子金具１３，４８に信号（電流）を流すと、誘導電流が第１のグランド端子金具１５，５０に確実に生じ、マイナス信号用端子金具１４，４９に信号（電流）を流すと、誘導電流が第２のグランド端子金具１６，５１に確実に生じる。これにより、プラス信号用端子金具１３，４８に電流が流れて、第１のグランド端子金具１５，５０に誘導電流が流れた際に、マイナス信号用端子金具１４，４９及び第２のグランド端子金具１６，５１に誘導電流が生じることを確実に防止できる。
【００９１】
マイナス信号用端子金具１４，４９に電流が流れて、第２のグランド端子金具１６，５１に誘導電流が流れた際に、プラス信号用端子金具１３，４８及び第１のグランド端子金具１５，５０に誘導電流が生じることを確実に防止できる。このため、各信号用端子金具１３，４８，１４，４９内にノイズ信号（電流）が流れることを防止できる。したがって、各信号用端子金具１３，４８，１４，４９の信号の伝送損失を抑制することができる。
【００９２】
コネクタ１ｃの各端子金具４８，４９，５０，５１の中央部が合成樹脂からなるホルダ４４内に埋設されている。このため、各端子金具４８，４９，５０，５１の中央部が雰囲気中にさらされることなくホルダ４４を構成する合成樹脂により覆われる。このため、各端子金具４８，４９，５０，５１の一端部の第１電気接触部５２から他端部の第２電気接触部５３に向かうにしたがってインピーダンスが特に中央部で乱れることを防止できる。、したがって、コネクタ１ｃは、各端子金具各端子金具４８，４９，５０，５１が発生するノイズを抑制でき、各信号用端子金具各端子金具４８，４９の信号の伝送損失を抑制することができる。
【００９３】
また、前述した第１の実施形態では、各端子金具１３，１４，１５，１６を円筒状に形成している。しかしながら、本発明では、図９に示すコネクタ１ａのように、各端子金具１３，１４，１５，１６を断面矩形状の厚手の板金などから構成しても良い。この場合も、各端子金具１３，１４，１５，１６を四角形の頂点をなす位置に配置する。なお、図９に示すコネクタ１ａにおいて、コネクタ１と同一部分には同一符号を付して説明を省略する。
【００９４】
図示例では、各端子金具１３，１４，１５，１６を長方形の頂点をなす位置に配置しており、プラス信号用端子金具１３とマイナス信号用端子金具１４との距離Ｋ５と、第１のグランド端子金具１５と第２のグランド端子金具１６との距離Ｋ６とが等しくなっている。プラス信号用端子金具１３と第１のグランド端子金具１５との距離Ｋ１と、マイナス信号用端子金具１４と第２のグランド端子金具１６との距離Ｋ３とが等しくなっている。距離Ｋ５，Ｋ６は、距離Ｋ１，Ｋ３より長くなっている。
【００９５】
図９に示す場合も、前述した実施形態と同様に、プラス信号用端子金具１３に信号（電流）を流すと、誘導電流が第１のグランド端子金具１５に生じる。マイナス信号用端子金具１４に信号（電流）を流すと、誘導電流が第２のグランド端子金具１６に生じる。
【００９６】
これにより、プラス信号端子金具１３に電流が流れて、第１のグランド端子金具１５に誘導電流が流れた際に、マイナス信号用端子金具１４及び第２のグランド端子金具１６に誘導電流が生じることを防止できる。マイナス信号端子金具１４に電流が流れて、第２のグランド端子金具１６に誘導電流が流れた際に、プラス信号用端子金具１３及び第１のグランド端子金具１５に誘導電流が生じることを防止できる。このため、各信号用端子金具１３，１４内にノイズ信号（電流）が流れることを防止できる。したがって、各信号用端子金具１３，１４の信号の伝送損失を抑制することができる。
【００９７】
次に、本発明の第２の実施形態にかかるコネクタを、図１０ないし図１６を参照して説明する。なお、前述した第１の実施形態と同一部分には、同一符号を付して説明を省略する。本実施形態では、前述した第１の実施形態と同様に、図１０、図１１、図１４及び図１５に示すコネクタ１，１ｃは、互いに嵌合する。コネクタ１は、ケーブル５に取り付けられ、コネクタ１ｃは、印刷配線板４１に取り付けられている。本実施形態のコネクタ１，１ｃも、勿論、高速デファレンシャル信号伝送用のコネクタをなしている。
【００９８】
本実施形態では、コネクタ１の各端子金具１３，１４，１５，１６は、図１２に示すように、互いに平行に配されている。さらに、コネクタ１の各端子金具１３，１４，１５，１６は、図１２及び図１６に示すように、互いを結んで形成される線分Ｌ１（図１２及び図１６中に一点鎖線で示す）が直線状をなす位置に配されている。即ち、各端子金具１３，１４，１５，１６は、一直線（面）上に配されている。
【００９９】
また、各端子金具１３，１４，１５，１６は、等間隔に配されている。各端子金具１３，１４，１５，１６は、図１２及び図１６中の左側から順に、第１のグランド端子金具１５と、プラス信号用端子金具１３と、マイナス信号用端子金具１４と、第２のグランド端子金具１６が配されている。即ち、プラス信号用端子金具１３とマイナス信号用端子金具１４とが、互いに平行に配されている。第１のグランド端子金具１５が、プラス信号用端子金具１３とマイナス信号用端子金具１４のうちプラス信号用端子金具１３寄りに配されている。第２のグランド端子金具１６が、プラス信号用端子金具１３とマイナス信号用端子金具１４のうちマイナス信号用端子金具１４寄りに配されている。
【０１００】
本実施形態では、コネクタ１ｃの各端子金具４８，４９，５０，５１は、図１３に示すように、互いに平行に配されている。さらに、コネクタ１ｃの各端子金具４８，４９，５０，５１は、互いを結んで形成される線分Ｌ２（図１３中に一点鎖線で示す）が直線状をなす位置に配されている。即ち、各端子金具４８，４９，５０，５１は、一直線（面）上に配されている。
【０１０１】
また、各端子金具４８，４９，５０，５１は、等間隔に配されている。第１のグランド端子金具５０と、プラス信号用端子金具４８と、マイナス信号用端子金具４９と、第２のグランド端子金具５１とは、図１３中の右側から順に配されている。即ち、プラス信号用端子金具４８とマイナス信号用端子金具４９とが、互いに平行に配されている。第１のグランド端子金具５０が、プラス信号用端子金具４８とマイナス信号用端子金具４９のうちプラス信号用端子金具４８寄りに配されている。第２のグランド端子金具５１が、プラス信号用端子金具４８とマイナス信号用端子金具４９のうちマイナス信号用端子金具４９寄りに配されている。
【０１０２】
本実施形態においても、前述した第１の実施形態と同様に、プラス信号用端子金具１３，４８に信号（電流）を流すと、誘導電流が第１のグランド端子金具１５，５０に生じる。マイナス信号用端子金具１４，４９に信号（電流）を流すと、誘導電流が第２のグランド端子金具１６，５１に生じる。
【０１０３】
これにより、プラス信号用端子金具１３，４８に電流が流れて、第１のグランド端子金具１５，５０に誘導電流が流れた際に、マイナス信号用端子金具１４，４９及び第２のグランド端子金具１６，５１に誘導電流が生じることを防止できる。マイナス信号用端子金具１４，４９に電流が流れて、第２のグランド端子金具１６，５１に誘導電流が流れた際に、プラス信号用端子金具１３，４８及び第１のグランド端子金具１５，５０に誘導電流が生じることを防止できる。このため、各信号用端子金具１３，４８，１４，４９内にノイズ信号（電流）が流れることを防止できる。したがって、各信号用端子金具１３，４８，１４，４９の信号の伝送損失を抑制することができる。
【０１０４】
また、本実施形態のコネクタ１，１ｃによれば、端子金具１３，１４，１５，１６，４８，４９，５０，５１が互いに平行でかつ一直線上に配されている。このため、コネクタ１，１ｃの薄型化を図ることができる。
【０１０５】
さらに、本実施形態のコネクタ１，１ｃによれば、第１のグランド端子金具１５，５０と、プラス信号用端子金具１３，４８と、マイナス信号用端子金具１４，４９と、第２のグランド端子金具１６，５１とが、順に並べられている。このため、第１のグランド端子金具１５，５０は、プラス信号用端子金具１３，４８とマイナス信号用端子金具１４，４９のうち確実にプラス信号用端子金具１３，４８寄りに配される。第２のグランド端子金具１６，５１は、プラス信号用端子金具１３，４８とマイナス信号用端子金具１４，４９のうち確実にマイナス信号用端子金具１４，４９寄りに配される。
【０１０６】
これにより、プラス信号用端子金具１３，４８に電流が流れて、第１のグランド端子金具１５，５０に誘導電流が流れた際に、マイナス信号用端子金具１４，４９及び第２のグランド端子金具１６，５１に誘導電流が生じることを確実に防止できる。マイナス信号用端子金具１４，４９に電流が流れて、第２のグランド端子金具１６，５１に誘導電流が流れた際に、プラス信号用端子金具１３，４８及び第１のグランド端子金具１５，５０に誘導電流が生じることを確実に防止できる。このため、各信号用端子金具１３，４８，１４，４９内にノイズ信号（電流）が流れることを防止できる。したがって、各信号用端子金具１３，４８，１４，４９の信号の伝送損失を抑制することができる。
【０１０７】
次に、本発明の発明者らは、前述した第１及び第２の実施形態に記載のコネクタ１，１ａの作用・効果を確かめるために、有限要素法（周波数領域）及び有限積分法（時間領域）によるシミュレーションを行った。なお、コネクタ１の端子金具１３，１４，１５，１６の配置状況とコネクタ１ｃの端子金具４８，４９，５０，５１の配置状況とが同等であるため、コネクタ１ｃの作用・効果が、コネクタ１の作用・効果と同等である。このためコネクタ１を代表してシミュレーションしている。まず、信号用端子金具１３，１４，１０３，１０４の一端から他端に向かって信号としての交流電流を流した時の出力電流の強度を推定して、信号としての交流電流の損失の度合いを推定した。
【０１０８】
結果を図１７に示す。図１７に示すシミュレーションでは、後述する本発明品Ａ乃至Ｃ及び比較例Ａ及びＢの信号用端子金具１３，１４，１０３，１０４の一端から他端に向かって信号としての交流電流を流した時の、出力電流の強度を推定して、前述した信号としての交流電流の周波数と出力電流の強度との関係を求めた。
【０１０９】
図１７中横軸は、交流電流の周波数を示し、図１７中右側に向かうにしたがって周波数が徐々に高くなっている。また、図１７中縦軸は、出力電流の電流値を入力した交流電流の電流値で除して得た値をデシベル（以下ｄＢと示す）表示したものである。図１７中下に向かうにしたがって、出力電流の電流値が弱くなり、損失が大きくなることを示している。
【０１１０】
また、本シミュレーションでは、図１７中に実線で示す本発明品Ａとして、第１の実施形態にかかる図８に示すコネクタ１と、図１７中に点線で示す本発明品Ｂとして、図９に示すコネクタ１ａと、図１７中に実線で示す本発明品Ｃとして、第２の実施形態にかかる図１６に示すコネクタ１とを用いた。図１７中に二点鎖線で示す比較例Ａとして、図２０に示すコネクタ１０１と、図１７中に一点鎖線で示す比較例Ｂとして、図２１に示すコネクタ１ｂとを用いた。
【０１１１】
図２０に示すコネクタ１０１は、従来の技術の図３８に示したもとと構成が略同等であるため、同一部分に同一符号を付して説明を省略する。
【０１１２】
また、図２１に示すコネクタ１ｂは、前述した第１の実施形態のコネクタ１からグランド端子金具１５，１６のうち一方が除去された以外は、前述した第１の実施形態のコネクタ１と略同等である。このため、コネクタ１と同一部分に同一符号を付して説明を省略する。なお、図示例では、第２のグランド端子金具１６が除去された格好となっている。プラス信号用端子金具１３と、マイナス信号用端子金具１４と、第１のグランド端子金具１５とは、三角形の頂点をなす位置に配されている。
【０１１３】
図１７に示すシミュレーション結果によれば、本発明品Ａ及びＣは、略同等の結果が得られた。このため、図１７では、本発明品Ａ及びＣを同一の実線で示している。
【０１１４】
図１７に示すシミュレーション結果によれば、比較例Ａ，Ｂ及び本発明品Ａ，Ｂ，Ｃいずれの場合においても、交流電流の周波数が高くなるにしたがって徐々に出力電流の強度が低くなって、損失が徐々に大きくなることが明らかとなった。また、交流電流の周波数が２．０ＧＨｚになると、比較例Ａが−１．２ｄＢとなり、比較例Ｂが−１．６ｄＢとなることが明らかとなった。これに対し、本発明品Ａ，Ｃが−０．２ｄＢとなり、本発明品Ｂが−０．８ｄＢとなり、本発明品Ａ，Ｂ，Ｃは、前述した比較例Ａ，Ｂより著しく損失が低くなることが明らかとなった。このように、第１のグランド端子金具１５と、第２のグランド端子金具１６とを設けることで、各信号用端子金具１３，１４の信号の伝送損失を抑制できることが明らかとなった。
【０１１５】
これは、以下のクロストーク特性をシミュレーションにより求めた結果からも明らかとなった。求めたクロストーク特性の結果を図１８及び図１９に示す。結果を図１８に示すシミュレーションでは、プラス信号用端子金具１３，１０３，１０６の一端から他端に信号としての交流電流を流したときのマイナス信号用端子金具１４，１０４，１０７の他端から出力される電流の電流値を推定して、信号としての交流電流のクロストークの度合いを推定した。そして、前述した信号としての交流電流の周波数と出力電流の強度との関係を求めた。
【０１１６】
図１８中横軸は、交流電流の周波数を示し、図１８中右側に向かうにしたがって周波数が徐々に高くなっている。また、図１８中縦軸は、出力電流の電流値を入力した交流電流の電流値で除して得た値をデシベル（以下ｄＢと示す）表示したものである。図１８中下に向かうにしたがって、出力電流の電流値が弱くなり、プラス信号用端子金具１３，１０３，１０６を流れる電流がマイナス信号用端子金具１４，１０４，１０７内に流れにくくなることを示している。つまり、図１８中下側に向かうにしたがって、高クロストーク化を図ることができ、コネクタ１，１ａ，１０１，１０２として優れていることになる。
【０１１７】
結果を図１９に示すシミュレーションでは、マイナス信号用端子金具１４，１０４，１０７の一端から他端に信号としての交流電流を流したときのプラス信号用端子金具１３，１０３，１０６の他端から出力される電流の電流値を推定して、信号としての交流電流のクロストークの度合いを推定した。そして、前述した信号としての交流電流の周波数と出力電流の強度との関係を求めた。
【０１１８】
図１９中横軸は、交流電流の周波数を示し、図１９中右側に向かうにしたがって周波数が徐々に高くなっている。また、図１９中縦軸は、出力電流の電流値を入力した交流電流の電流値で除して得た値をデシベル（以下ｄＢと示す）表示したものである。図１９中下に向かうにしたがって、出力電流の電流値が弱くなり、マイナス信号用端子金具１４，１０４，１０７を流れる電流がプラス信号用端子金具１３，１０３，１０６内に流れにくくなることを示している。つまり、図１９中下側に向かうにしたがって、高クロストーク化を図ることができ、コネクタ１，１ａ，１０１，１０２として優れていることになる。
【０１１９】
また、本シミュレーションでは、図１８及び図１９中に実線で示す本発明品Ａとして、第１の実施形態にかかる図８に示すコネクタ１と、図１８及び図１９中に点線で示す本発明品Ｂとして、図９に示すコネクタ１ａと、図１７中に実線で示す本発明品Ｃとして、第２の実施形態にかかる図１６に示すコネクタ１ｃとを用いた。図１８及び図１９中に二点鎖線で示す比較例Ａとして、図２０に示すコネクタ１０１と、図１８及び図１９中に一点鎖線で示す比較例Ｂとして、図２２に示すコネクタ１０２とを用いた。
【０１２０】
図２２に示すコネクタ１０２は、従来の技術の図３９に示したものと構成が略同等であるため、同一部分に同一符号を付して説明を省略する。
【０１２１】
図１８に示すシミュレーション結果によれば、本発明品Ａ及びＣは、略同等の結果が得られた。このため、図１８では、本発明品Ａ及びＣを同一の実線で示している。
【０１２２】
図１８に示すシミュレーション結果によれば、比較例Ａ，Ｂ及び本発明品Ａ，Ｂ，Ｃいずれの場合においても、交流電流の周波数が高くなるにしたがって徐々に出力電流の強度が高くなって、マイナス信号用端子金具１４，１０４，１０７を流れる電流が徐々に大きくなることが明らかとなった。また、交流電流の周波数が２．０ＧＨｚになると、比較例Ａが−２５ｄＢとなり、比較例Ｂが−２２ｄＢとなることが明らかとなった。これに対し、本発明品Ａ，Ｃが−３２Ｂとなり、本発明品Ｂが−３０ｄＢとなり、本発明品Ａ，Ｂ，Ｃは、前述した比較例Ａ，Ｂより著しくマイナス信号用端子金具１４，１０４，１０７を流れる電流が低くなることが明らかとなった。
【０１２３】
これは、図２３、図２５、図２７、図２９に示した電界分布によりも明らかである。これらの電界分布は、前述したシミュレーションと同様に有限積分法により得られている。図２３は、本発明品Ａの電界分布を示し、図２５は、本発明品Ｂの電界分布を示し、図２７は、比較例Ａの電界分布を示し、図２９は、比較例Ｂの電界分布を示している。図２３、図２５、図２７、図２９中では、電界分布が等しい位置を線で結び、平行斜線で示す部分Ｒが最も電界分布が密となっており、前記部分Ｒから離れるのにしたがって、徐々に電界分布が粗となっている。
【０１２４】
図２３及び図２５に示す本発明品Ａ，Ｂでは、プラス信号用端子金具１３を流れる電流によりマイナス信号用端子金具１４に電界が殆ど生じないことが明らかとなった。これらに対し、図２７及び図２９に示す比較例Ａ，Ｂでは、プラス信号用端子金具１０３，１０６を流れる電流によりマイナス信号用端子金具１０４，１０７に電界が生じることが明らかとなった。
【０１２５】
以上の結果により、本発明品Ａ，Ｂは、プラス信号端子金具１３に電流が流れて、第１のグランド端子金具１５に誘導電流が流れた際に、マイナス信号用端子金具１４及び第２のグランド端子金具１６に誘導電流が生じることを防止できることが明らかとなった。
【０１２６】
図１９に示すシミュレーション結果によれば、本発明品Ａ及びＣは、略同等の結果が得られた。このため、図１９では、本発明品Ａ及びＣを同一の実線で示している。
【０１２７】
図１９に示すシミュレーション結果によれば、比較例Ａ，Ｂ及び本発明品Ａ，Ｂ，Ｃいずれの場合においても、交流電流の周波数が高くなるにしたがって徐々に出力電流の強度が高くなって、プラス信号用端子金具１３，１０３，１０６を流れる電流が徐々に大きくなることが明らかとなった。また、交流電流の周波数が２．０ＧＨｚになると、比較例Ａが−８ｄＢとなり、比較例Ｂが−１５ｄＢとなることが明らかとなった。これに対し、本発明品Ａ，Ｃが−２０Ｂとなり、本発明品Ｂが−２８ｄＢとなり、本発明品Ａ，Ｂ，Ｃは、前述した比較例Ａ，Ｂより著しくプラス信号用端子金具１３，１０３，１０６を流れる電流が低くなることが明らかとなった。
【０１２８】
これは、図２４、図２６、図２８、図３０に示した電界分布によりも明らかである。これらの電界分布は、前述したシミュレーションと同様に有限積分法により得られている。図２４は、本発明品Ａの電界分布を示し、図２６は、本発明品Ｂの電界分布を示し、図２８は、比較例Ａの電界分布を示し、図３０は、比較例Ｂの電界分布を示している。図２４、図２６、図２８、図３０中では、電界分布が等しい位置を線で結び、平行斜線で示す部分Ｒが最も電界分布が密となっており、前記部分Ｒから離れるのにしたがって、徐々に電界分布が粗となっている。
【０１２９】
図２４及び図２６に示す本発明品Ａ，Ｂでは、マイナス信号用端子金具１４を流れる電流によりプラス信号用端子金具１３に電界が殆ど生じないことが明らかとなった。これらに対し、図２８及び図３０に示す比較例Ａ，Ｂでは、マイナス信号用端子金具１０４，１０７を流れる電流によりプラス信号用端子金具１０３，１０６に電界が生じることが明らかとなった。
【０１３０】
以上の結果により、本発明品Ａ，Ｂ，Ｃは、マイナス信号端子金具１４に電流が流れて、第２のグランド端子金具１６に誘導電流が流れた際に、プラス信号用端子金具１３及び第１のグランド端子金具１５に誘導電流が生じることを防止できることが明らかとなった。このため、本発明品Ａ，Ｂ，Ｃは、各信号用端子金具１３，１４内にノイズ信号（電流）が流れることを防止できることが明らかとなった。したがって、本発明品Ａ，Ｂ，Ｃは、ノイズ信号（電流）が流れることを防止できるので、各信号用端子金具１３，１４の信号の伝送損失を抑制できることが明らかとなった。
【０１３１】
次に、本発明の第３の実施形態のコネクタ３１を、図３１ないし図３７を参照して説明する。なお、前述した第１及び第２の実施形態と同一部分には、同一符号を付して説明を省略する。
【０１３２】
本実施形態のコネクタ３１は、図３１及び図３２に示すように、前述した端子金具セット１１を複数備えている。なお、図示例では、端子金具セット１１を２つ備えている。
【０１３３】
また、図３１及び図３２に示すように、各端子金具セット１１同士の信号用端子金具１３，１４が矢印Ｎ１に沿って一直線上に配されており、各端子金具セット１１同士のグランド端子金具１５，１６が矢印Ｎ２に沿って一直線上に配されている。さらに、これらの端子金具１３，１４，１５，１６は、格子状に配されている。互いに隣り合う端子金具１３，１４，１５，１６間の距離は、全て等しくなっている。
【０１３４】
本実施形態によれば、前述した第１及び第２の実施形態と同様に、第１のグランド端子金具１５と、第２のグランド端子１６とを設けている。各端子金具セット１１では、第１のグランド端子金具１５をプラス信号用端子金具１３とマイナス信号用端子金具１４のうちプラス信号用端子金具１３寄りに配している。第２のグランド端子金具１６をプラス信号用端子金具１３とマイナス信号用端子金具１４のうちマイナス信号用端子金具１４寄りに配している。
【０１３５】
これにより、プラス信号用端子金具１３に信号（電流）を流すと、誘導電流が第１のグランド端子金具１５に確実に生じ、マイナス信号用端子金具１４に信号（電流）を流すと、誘導電流が第２のグランド端子金具１６に確実に生じる。これにより、プラス信号用端子金具１３に電流が流れて、第１のグランド端子金具１５に誘導電流が流れた際に、マイナス信号用端子金具１４及び第２のグランド端子金具１６に誘導電流が生じることを確実に防止できる。また、マイナス信号用端子金具１４に電流が流れて、第２のグランド端子金具１６に誘導電流が流れた際に、プラス信号用端子金具１３及び第１のグランド端子金具１５に誘導電流が生じることを確実に防止できる。
【０１３６】
また、プラス信号用端子金具１３とマイナス信号用端子金具１４と第１及び第２のグランド端子金具１５，１６とは四角形（正方形）の頂点をなす位置に配している。これにより、小型化を図ることができる。端子金具セット１１を複数備えているので、伝送できる信号量を増加できる。
【０１３７】
さらに、信号用端子金具１３，１４が矢印Ｎ１に沿って直線上に配され、かつグランド端子金具１５，１６が矢印Ｎ２に沿って直線上に配されているので、各信号用端子金具１３，１４に信号（電流）を流すことで生じる誘導電流は、対応するグランド端子金具１５，１６に確実に発生する。また、信号用端子金具１３，１４が直線上に配され、かつグランド端子金具１５，１６が直線上に配されているので、小型化を図ることができる。
【０１３８】
また、本実施形態では、図３３に示すコネクタ３１ａのように、端子金具セット１１同士の信号用端子金具１３，１４とグランド端子金具１５，１６とを並べても良い。コネクタ３１ａのコネクタ３１と同一部分には、同一符号を付して説明を省略する。
【０１３９】
即ち、一つの端子金具セット１１（以下符号１１ａで示す）の信号用端子金具１３，１４と、前記端子金具セット１１ａと隣り合う他の端子金具セット１１（以下符号１１ｂで示す）のグランド端子金具１５，１６と、を矢印Ｎ１に沿って並べる。また、一つの端子金具セット１１ａのグランド端子金具１５，１６と、他の端子金具セット１１ｂの信号用端子金具１３，１４と、を矢印Ｎ２に沿って並べる。
【０１４０】
この図３３に示す場合では、端子金具セット１１ａ，１１ｂ同士の信号用端子金具１３，１４とグランド端子金具１５，１６とが並べられているので、各信号用端子金具１３，１４に信号（電流）を流すことで生じる誘導電流は、対応するグランド端子金具１５，１６に確実に発生する。このため、各信号用端子金具１３，１４内にノイズ信号（電流）が流れることを防止できる。したがって、各信号用端子金具１３，１４の信号の伝送損失を抑制することができる。また、端子金具セット１１ａ，１１ｂ同士の信号用端子金具１３，１４とグランド端子金具１５，１６とが並べられているので、小型化を図ることができる。本実施形態のコネクタ３１，３１ａも、勿論、高速デファレンシャル信号伝送用のコネクタをなしている。
【０１４１】
また、前述したコネクタ３１，３１ａと嵌合する図示しないコネクタの端子金具セット及び端子金具は、コネクタ３１，３１ａの端子金具セット１１の端子金具１３，１４，１５，１６に対応して配置されている。さらに、コネクタ３１，３１ａと嵌合する図示しないコネクタは、前述した第１及び第２の実施形態と同様に、印刷配線板に取り付けられて、端子金具の中央部がホルダに埋設されている。
【０１４２】
次に、本発明の発明者らは、前述した第３の実施形態にかかるコネクタ３１，３１ａの効果を、有限積分法により電界分布をシミュレーションすることにより確認した。
【０１４３】
まず、図３２に示すコネクタ３１の一つの端子金具セット１１ａのプラス信号用端子金具１３に電流を流すと、図３４に示すように、電流を流したプラス信号用端子金具１３に対応する第１のグランド端子金具１５のみに電界が生じている。また、他の端子金具セット１１ｂのプラス信号用端子金具１３に電流を流すと、図３５に示すように、電流を流したプラス信号用端子金具１３に対応する第１のグランド端子金具１５のみに電界が生じて、前述した一つの端子金具セット１１ａのマイナス信号用端子金具１４などに電界が生じないことが明らかとなった。
【０１４４】
図３３に示すコネクタ３１ａの一つの端子金具セット１１ａのプラス信号用端子金具１３に電流を流すと、図３６に示すように、電流を流したプラス信号用端子金具１３に対応する第１のグランド端子金具１５のみに電界が生じている。また、他の端子金具セット１１ｂのプラス信号用端子金具１３に電流を流すと、図３７に示すように、電流を流したプラス信号用端子金具１３に対応する第１のグランド端子金具１５のみに電界が生じて、前述した一つの端子金具セット１１ａのマイナス信号用端子金具１４などに電界が生じないことが明らかとなった。
【０１４５】
このように、第３の実施形態のコネクタ３１，３１ａは、第１のグランド端子金具１５と、第２のグランド端子金具１６とを設け、前述した様に端子金具セット１１ａ，１１ｂを配置している。これらにより、各信号用端子金具１３，１４内にノイズ信号（電流）が流れることを防止できることが明らかとなった。したがって、各信号用端子金具１３，１４の信号の伝送損失を抑制できることが明らかとなった。
【０１４６】
前述した第１及び第３の実施形態では、各端子金具セット１１，４３の端子金具１３，４８，１４，４９，１５，５０，１６，５１を正方形や長方形の頂点をなす位置に配置している。しかしながら、本発明では、正方形や長方形に限らず種々の四角形の位置に配置しても良い。また、前述した第１ないし第３の実施形態のコネクタ１，１ａ，１ｃ，３１，３１ａの端子金具１３，４８，１４，４９，１５，５０，１６，５１間の間隔は、伝送する信号の周波数、所望のインピーダンスなどにより（即ち、インナホルダ１７と端子金具１３，１４，１５，１６を合わせた誘電率及びホルダ４４と端子金具４８，４９，５０，５１を合わせた誘電率により）、適宜定められる。
【０１４７】
また、前述した第３の実施形態では、端子金具セット１１を矢印Ｎ１，Ｎ２に沿って並べている。しかしながら、本発明では、端子金具セット１１を種々の位置に配置しても良い。
【０１４８】
さらに、前述した第３の実施形態では、端子金具セット１１を２つ備えている。しかしながら、本発明では、端子金具セット１１を３つ以上設けても良いことは勿論である。
【０１４９】
また、端子金具１３，４８，１４，４９，１５，５０，１６，５１は、導電性を有しておれば、如何なる構成であっても良い。
【０１５０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【０１５１】
【図１】本発明の第１の実施形態にかかる互いに嵌合する一対の高速ディファレンシャル信号伝送用のコネクタを示す斜視図である。
【図２】図１に示された一対の高速ディファレンシャル信号伝送用のコネクタのうち一方の斜視図である。
【図３】図２に示されたコネクタの分解斜視図である。
【図４】図１に示された一対の高速ディファレンシャル信号伝送用のコネクタのうち他方のＩＶ−ＩＶ線に沿う断面図である。
【図５】図４に示された断面で示されたコネクタの斜視図である。
【図６】図４に示されたコネクタの分解斜視図である。
【図７】図１に示されたコネクタが設置される個所などを示す説明図である。
【図８】図２に示されたコネクタの端子金具の配置状態を模式的に示す説明図である。
【図９】図８に示されたコネクタの変形例の端子金具の配置状態を模式的に示す説明図である。
【図１０】本発明の第２の実施形態にかかる互いに嵌合する一対の高速ディファレンシャル信号伝送用のコネクタを示す側面図である。
【図１１】図１０に示された一対のコネクタが互いに嵌合した状態を示す側面図である。
【図１２】図１０に示された一対の高速ディファレンシャル信号伝送用のコネクタのうち一方の正面図である。
【図１３】図１０に示された一対の高速ディファレンシャル信号伝送用のコネクタのうち他方の正面図である。
【図１４】図１１に示された互いに嵌合したコネクタの平面図である。
【図１５】図１４中のＸＶ−ＸＶ線に沿う断面図である。
【図１６】図１２に示されたコネクタの端子金具の配置状態を模式的に示す説明図である。
【図１７】本発明の第１及び第２の実施形態のコネクタの作用・効果を説明するシミュレーションの結果を示す説明図である。
【図１８】本発明の第１及び第２の実施形態のコネクタの他の作用・効果を説明するシミュレーションの結果を示す説明図である。
【図１９】本発明の第１及び第２の実施形態のコネクタの更に他の作用・効果を説明するシミュレーションの結果を示す説明図である。
【図２０】図１７ないし図１９に示されたシミュレーションで用いられた比較例Ａの端子金具の配置状態を模式的に示す説明図である。
【図２１】図１７に示されたシミュレーションで用いられた比較例Ｂの端子金具の配置状態を模式的に示す説明図である。
【図２２】図１８及び図１９に示されたシミュレーションで用いられた比較例Ｂの端子金具の配置状態を模式的に示す説明図である。
【図２３】図１８に示されたシミュレーションで本発明品Ａのプラス信号用端子金具に電流を流した際に得られた電界分布を模式的に示す説明図である。
【図２４】図１９に示されたシミュレーションで本発明品Ａのマイナス信号用端子金具に電流を流した際に得られた電界分布を模式的に示す説明図である。
【図２５】図１８に示されたシミュレーションで本発明品Ｂのプラス信号用端子金具に電流を流した際に得られた電界分布を模式的に示す説明図である。
【図２６】図１９に示されたシミュレーションで本発明品Ｂのマイナス信号用端子金具に電流を流した際に得られた電界分布を模式的に示す説明図である。
【図２７】図１８に示されたシミュレーションで比較例Ａのプラス信号用端子金具に電流を流した際に得られた電界分布を模式的に示す説明図である。
【図２８】図１９に示されたシミュレーションで比較例Ａのマイナス信号用端子金具に電流を流した際に得られた電界分布を模式的に示す説明図である。
【図２９】図１８に示されたシミュレーションで比較例Ｂのプラス信号用端子金具に電流を流した際に得られた電界分布を模式的に示す説明図である。
【図３０】図１９に示されたシミュレーションで比較例Ｂのマイナス信号用端子金具に電流を流した際に得られた電界分布を模式的に示す説明図である。
【図３１】本発明の第３の実施形態にかかる高速ディファレンシャル信号伝送用のコネクタの斜視図である。
【図３２】図３１に示されたコネクタの端子金具の配置状態を模式的に示す説明図である。
【図３３】図３２に示されたコネクタの変形例の端子金具の配置状態を模式的に示す説明図である。
【図３４】図３２に示されたコネクタの一つの端子金具セットのプラス信号用端子金具に電流を流した際に得られた電界分布を模式的に示す説明図である。
【図３５】図３２に示されたコネクタの他の端子金具セットのプラス信号用端子金具に電流を流した際に得られた電界分布を模式的に示す説明図である。
【図３６】図３３に示されたコネクタの一つの端子金具セットのプラス信号用端子金具に電流を流した際に得られた電界分布を模式的に示す説明図である。
【図３７】図３３に示されたコネクタの他の端子金具セットのプラス信号用端子金具に電流を流した際に得られた電界分布を模式的に示す説明図である。
【図３８】従来の高速ディファレンシャル信号伝送用のコネクタの端子金具の配置状態を模式的に示す説明図である。
【図３９】従来の他の高速ディファレンシャル信号伝送用のコネクタの端子金具の配置状態を模式的に示す説明図である。
【符号の説明】
【０１５２】
１，１ａ，１ｃ，３１，３１ａ  コネクタ（高速デファレンシャル信号伝送用のコネクタ）
１１  端子金具セット
１１ａ  一つの端子金具セット
１１ｂ  他の端子金具セット
１２  コネクタハウジング
１３  プラス信号用端子金具（相手側の端子金具）
１４  マイナス信号用端子金具（相手側の端子金具）
１５  第１のグランド端子金具（相手側の端子金具）
１６  第２のグランド端子金具（相手側の端子金具）
４１  印刷配線板
４２  基板
４３  端子金具セット
４４  ホルダ（保持部材）
４５  コネクタハウジング
４８  プラス信号用端子金具
４９  マイナス信号用端子金具
５０  第１のグランド端子金具
５１  第２のグランド端子金具
５２  第１電気接触部
５３  第２電気接触部
Ｋ１  第１のグランド端子とプラス信号用端子金具との距離
Ｋ２  第１のグランド端子とマイナス信号用端子金具との距離
Ｋ３  第２のグランド端子とマイナス信号用端子金具との距離
Ｋ４  第２のグランド端子とプラス信号用端子金具との距離
Ｎ１  第１の方向
Ｎ２  第２の方向
Ｌ１，Ｌ２  線分
【図１】
2004327419.tif 000003
【図２】
2004327419.tif 000004
【図３】
2004327419.tif 000005
【図４】
2004327419.tif 000006
【図５】
2004327419.tif 000007
【図６】
2004327419.tif 000008
【図７】
2004327419.tif 000009
【図８】
2004327419.tif 000010
【図９】
2004327419.tif 000011
【図１０】
2004327419.tif 000012
【図１１】
2004327419.tif 000013
【図１２】
2004327419.tif 000014
【図１３】
2004327419.tif 000015
【図１４】
2004327419.tif 000016
【図１５】
2004327419.tif 000017
【図１６】
2004327419.tif 000018
【図１７】
2004327419.tif 000019
【図１８】
2004327419.tif 000020
【図１９】
2004327419.tif 000021
【図２０】
2004327419.tif 000022
【図２１】
2004327419.tif 000023
【図２２】
2004327419.tif 000024
【図２３】
2004327419.tif 000025
【図２４】
2004327419.tif 000026
【図２５】
2004327419.tif 000027
【図２６】
2004327419.tif 000028
【図２７】
2004327419.tif 000029
【図２８】
2004327419.tif 000030
【図２９】
2004327419.tif 000031
【図３０】
2004327419.tif 000032
【図３１】
2004327419.tif 000033
【図３２】
2004327419.tif 000034
【図３３】
2004327419.tif 000035
【図３４】
2004327419.tif 000036
【図３５】
2004327419.tif 000037
【図３６】
2004327419.tif 000038
【図３７】
2004327419.tif 000039
【図３８】
2004327419.tif 000040
【図３９】
2004327419.tif 000041